(57)【特許請求の範囲】
【請求項１】
表面に熱酸化膜が形成された半導体ウエハの内部に微小気泡層を形成する第１の工程と、
前記半導体ウエハとガラス基板とを、前記熱酸化膜と前記ガラス基板とが接するように貼り合わせる第２の工程と、
前記第２の工程後、熱処理を行う第３の工程と、
前記第３の工程後、前記半導体ウエハを前記微小気泡層において剥離して、前記ガラス基板上に半導体薄膜層を形成する第４の工程と、
前記第４の工程後、前記ガラス基板上の前記半導体薄膜層に対してレーザ光を照射する第５の工程とを備えており、
前記半導体ウエハとして、融点での蒸気圧が大気圧を超えるものを用い、
前記第５の工程において、前記蒸気圧を超える圧力の不活性ガス雰囲気にて前記レーザ光を照射することを特徴とする半導体薄膜層を有する基板の製造方法。
【請求項２】
表面に熱酸化膜が形成された半導体ウエハの内部に剥離層を形成する第１の工程と、
前記半導体ウエハとガラス基板とを、前記熱酸化膜と前記ガラス基板とが接するように貼り合わせる第２の工程と、
前記第２の工程後、熱処理を行う第３の工程と、
前記第３の工程後、前記半導体ウエハを前記剥離層において剥離して、前記ガラス基板上に半導体薄膜層を形成する第４の工程と、
前記第４の工程後、前記ガラス基板上の前記半導体薄膜層に対してレーザ光を照射する第５の工程とを備えており、
前記半導体ウエハとして、融点での蒸気圧が大気圧を超えるものを用い、
前記第５の工程において、前記蒸気圧を超える圧力の不活性ガス雰囲気にて前記レーザ光を照射することを特徴とする半導体薄膜層を有する基板の製造方法。
【請求項３】
請求項１に記載の第１の工程において、前記半導体ウエハにイオンをドープすることにより、前記微小気泡層を形成することを特徴とする半導体薄膜層を有する基板の製造方法。
【請求項４】
請求項２に記載の第１の工程において、前記半導体ウエハにイオンをドープすることにより、前記剥離層を形成することを特徴とする半導体薄膜層を有する基板の製造方法。
【請求項５】
請求項３又は４において、前記イオンは、水素イオン、水素分子イオン、希ガスイオン、またはこれらの複合イオンであることを特徴とする半導体薄膜層を有する基板の製造方法。
【請求項６】
請求項１乃至５のいずれか一に記載の第５の工程において、前記レーザ光の照射により前記半導体薄膜層を溶融し、結晶化することで結晶品質を改善することを特徴とする半導体薄膜層を有する基板の製造方法。
【請求項７】
請求項１乃至６のいずれか一に記載の第２の工程において、前記半導体ウエハと前記ガラス基板とを室温で貼り合わせた後、５００℃以下の温度で加熱するとともに、前記半導体ウエハに正電圧を印加し、前記ガラス基板に負電圧を印加することを特徴とする半導体薄膜層を有する基板の製造方法。
【請求項８】
請求項１乃至７のいずれか一に記載の第３の工程において、前記半導体ウエハの温度が４００℃を超えない温度で前記熱処理を行うことを特徴とする半導体薄膜層を有する基板の製造方法。
【請求項９】
請求項１乃至８のいずれか一に記載の第４の工程において、前記半導体ウエハ及び前記ガラス基板を６００℃以下の温度で熱処理することにより、前記ガラス基板上に前記半導体薄膜層を剥離させることを特徴とする半導体薄膜層を有する基板の製造方法。
【請求項１０】
請求項１乃至９のいずれか一に記載の第５の工程において、前記ガラス基板上の前記半導体薄膜層に対して前記レーザ光を照射する際に、前記ガラス基板を６００℃以下の温度に加熱しながら行うことを特徴とする半導体薄膜層を有する基板の製造方法。
【発明の詳細な説明】
【技術分野】
【０００１】
本発明は、半導体ウエハと透明な絶縁基板を用いて、半導体薄膜層を有する半導体基
板を製造する方法に関する。
【背景技術】
【０００２】
近年、ＬＳＩ（大規模集積回路）デバイスの微細化が進む中で、より完全な素子間分離
、動作速度の高速化、高性能化が追求されており、これらの要求を満たす材料として絶縁
基板上にシリコンを形成したＳＯＩ（Ｓｉｌｉｃｏｎ  ｏｎ  Ｉｎｓｕｌａｔｏｒ）ウエ
ハが注目されている。また、このＳＯＩウエハの製造方法として、イオン注入剥離法又は
スマートカット（登録商標）法と呼ばれる方法が、例えば非特許文献１に開示されている
。
【０００３】
非特許文献１の製造方法は、図９に模式的に示すように、酸化工程（ステップ１）、注
入工程（ステップ２）、接合工程（ステップ３）、熱処理工程（ステップ４）、界面安定
化工程（ステップ５）、及び最終ポリッシング工程（ステップ６）からなる。
【０００４】
酸化工程（ステップ１）では、ウエハＡ（シリコンウエハ）の表面を酸化し、ＳＯＩ構
造における酸化膜を形成する。注入工程（ステップ２）では、水素イオンを注入して酸化
膜の下にシリコン層の厚さを決める剥離層（微小気泡層）を形成する。接合工程（ステッ
プ３）では、表面のクリーン度の高い別のウエハＢを水素結合により接合する。熱処理工
程（ステップ４）では、熱処理により接合界面を強化すると共に、ウエハＢを剥離層（微
小気泡層）をへき開面として剥離する。界面安定化工程（ステップ５）では、更に高い温
度で熱処理し接合界面を安定化させる。最終ポリッシング工程（ステップ６）では、表面
をポリッシングして表面粗さを低減し、ＳＯＩウエハが完成する。
このように形成したＳＯＩウエハは、へき開面が良好な鏡面であり、ＳＯＩ層の膜厚の
均一性の高いＳＯＩウエハが比較的容易に得られる特徴がある。
【０００５】
一方、シリコン基板同士の結合ではなく、絶縁基板とシリコン基板を結合して作製する
ＳＯＩウエハの製造方法として、特許文献１が開示されている。
【０００６】
特許文献１の「ＳＯＩウエーハの製造方法ならびにこの方法で製造されるＳＯＩウエー
ハ」は、単結晶シリコンウエハを絶縁基板に密着させ、シリコン層を剥離してＳＯＩ層を
形成することによりＳＯＩウエハを製造する方法において、図１０に示す下記の工程順に
水素イオン注入、多段熱処理、薄膜化処理及び剥離処理をすることを特徴とするものであ
る。
【０００７】
（１）単結晶シリコンウエハのＳＯＩ層となる側の面から水素イオンまたは希ガスをＩ／
Ｉで注入する（イオン注入工程）。
（２）単結晶シリコンウエハのイオン注入面と絶縁基板を室温で密着させる（密着工程）
。
（３）１００〜３００℃で熱処理して仮接合させる（仮接合工程）。
（４）単結晶シリコン層をアルカリエッチングで厚さ１００〜２５０μｍにする（エッチ
ング工程）。
（５）３５０〜４５０℃で熱処理して本接合させる（本接合工程）。
（６）単結晶シリコン層を研削，研磨して５０μｍ以下の厚さにする（研削・研磨工程）
。
（７）５００℃以上に加熱してイオン注入層をへき界面として剥離し、単結晶シリコン層
の厚さを０．５μｍ以下のＳＯＩ層にする（剥離工程）。
（８）ＳＯＩ層表面を鏡面研磨する（鏡面研磨工程）。
（９）８００℃以上の熱処理を加えて結合強度を高める（熱処理工程）。
特許文献１の方法によるＳＯＩウエハは、絶縁基板上に単結晶シリコンウエハを結合し
たものであるため、基板が完全な絶縁体であり、キャリアの移動度が基板に影響されず、
極めて高くなる特徴を有する。
【０００８】
また、関連するＳＯＩウエハの製造方法として、特許文献２が開示されている。
特許文献２の「半導体ウエハ及びその製作法」は、図１１に示すように、半導体層２４
ａ，２４ｂと絶縁層２０ｂとが交互に２周期以上周期的に積層された積層構造を有する半
導体ウエハであって、前記絶縁層の少なくとも１層がイオン注入された酸素により形成さ
れたものであることを特徴とするものである。なおこの図で、２０ａは酸素イオン注入層
、２２ａは水素イオン注入層（微小気泡層）、２６は貼り合わせウエハ、２８はＳＯＩウ
エハである。
【０００９】
【非特許文献１】Ｌ．Ｄｉ  Ｃｉｏｃｃｉｏ，  "Ｓｉｌｉｃｏｎ  ｃａｒｂｉｄｅ  ｏｎ  ｉｎｓｕｌａｔｏｒ  ｆｏｒｍａｔｉｏｎ  ｂｙ  ｔｈｅ  Ｓｍａｒｔ-ｃｕｔ  ｐｒｏｃｅｓｓ"，  Ｍａｔｅｒｉａｌｓ  Ｓｃｉｅｎｃｅ  ａｎｄ  Ｅｎｇｉｎｅｅｒｉｎｇ  Ｂ４６  （１９９７）  ３４９-３５６．
【００１０】
【特許文献１】特開平１１−１４５４３８号公報、「ＳＯＩウエーハの製造方法ならびにこの方法で製造されるＳＯＩウエーハ」
【特許文献２】特開２００１−２１０８１０号公報、「半導体ウエハ及びその製作法」
【発明の開示】
【発明が解決しようとする課題】
【００１１】
上述した特許文献１の方法において、絶縁基板として透明なガラス基板を用いる場合、
ＳＯＩ層とガラス基板を強固に結合するためには、ＳＯＩ層及びガラス基板を炉内におい
て８００℃以上で熱処理する必要がある。そのため、ガラス基板の構成材料として融点の
低いものを用いることができず、ガラス基板の構成材料は例えば石英等のように８００℃
よりも高い融点を有するものに限られ、さまざまな構成材料からなる絶縁基板を半導体基
板の製造に用いることができないとともに、半導体基板の製造コストが高くなる問題点が
あった。
言い換えれば、従来の半導体基板の製造方法は、半導体薄膜と透明絶縁基板との接合強
度を高めるため、通常１０００℃以上の熱処理が必要であった。そのため、石英ガラスな
どの高融点絶縁基板を用いる必要があり、製造コストが高くなっていた。
【００１２】
また、上述した従来の方法において、ＳＯＩ層とガラス基板における構成材料の線膨張
係数差によって、ＳＯＩ層とガラス基板を強固に結合する際にＳＯＩ層に割れが生じない
ように、ＳＯＩウエハを薄膜化している。しかし、従来の方法では、微小気泡層をへき開
面としてＳｉウエハを薄膜状に剥離する前に、仮接合工程とエッチング工程が必要となる
。そのため、半導体基板の製造のための工程が増え、半導体基板の製造作業が煩雑化して
、作業時間が長くなる問題点があった。
【００１３】
本発明はかかる問題点を解決するために創案されたものである。すなわち、本発明の第
１の目的は、ＳＯＩ層とガラス基板を強固に結合するために、８００℃を超える高温での
熱処理を必要とせず、ガラス基板の構成材料として融点の低いものを用いることができ、
これにより、半導体基板の製造コストを下げることができる半導体基板の製造方法を提供
することにある。
また、本発明の第２の目的は、微小気泡層をへき開面としてＳｉウエハを薄膜状に剥離
する前の、仮接合工程とエッチング工程が不要であり、これにより半導体基板の製造工程
を減らし、半導体基板の製造作業を簡略化して、作業時間を短縮化できる半導体基板の製
造方法を提供することにある。
【課題を解決するための手段】
【００１４】
本発明によれば、半導体ウエハと透明な絶縁基板を用いて、半導体薄膜層を有する半導
体基板を製造する半導体基板の製造方法において、
前記半導体ウエハに半導体薄膜層を形成する薄膜形成工程と、
前記薄膜形成工程後に、前記半導体ウエハと前記絶縁基板の表面を洗浄し、基板の一面
を貼り合わせる貼合わせ工程と、
前記貼合わせ工程後に、熱処理により前記貼合わせ面の接合強度を高める熱処理工程と
、
前記熱処理工程後に、前記半導体薄膜層を絶縁基板上に剥離させる剥離工程と、
前記剥離工程後に、絶縁基板に、レーザ光を前記半導体薄膜層側または前記透明な絶縁
基板側から照射して前記半導体薄膜層の結晶品質を改善するとともに、前記半導体薄膜層
と前記透明な絶縁基板を強固に結合させるレーザ光照射工程と、を備えていることを特徴
とする半導体基板の製造方法が提供される。
【００１５】
上記本発明の方法によれば、レーザ光照射工程でレーザ光を照射して半導体薄膜層の結
晶品質を改善するので、８００℃を超える高温での熱処理を必要とせず、ガラス基板の構
成材料として融点の低いものを用いることができる。またこのレーザ光照射工程において
、レーザ光を前記半導体薄膜層側または前記透明な絶縁基板側から照射するので、半導体
薄膜層又は透明な絶縁基板で吸収されずに透過したレーザ光で薄膜層を選択的に加熱でき
るので、絶縁基板上に半導体薄膜層を強固に結合させることができる。
【００１６】
本発明の好ましい実施形態によれば、前記薄膜形成工程は、前記半導体ウエハの表面に
親水性の酸化膜を形成し、その後、水素イオン、水素分子イオン、希ガスイオンまたはこ
れらの複合イオンを１Ｅ１６／ｃｍ２〜１Ｅ１７／ｃｍ２の範囲のドープ量で注入する。
なお、半導体薄膜層の厚さは、このドープの際の加速電圧を変化させることにより、任意
に設定することができる。
【００１７】
また、前記薄膜形成工程は、前記半導体ウエハの表面に多孔質構造を形成し、その上に
前記半導体ウエハと同種のエピタキシャル層を成長させ、さらに、エピタキシャル層の表
面に親水性の酸化膜を形成してもよい。
【００１８】
前記貼合わせ工程は、室温で貼り合わせた前記半導体ウエハと絶縁基板を５００℃以下
の温度で加熱し、かつ前記半導体ウエハに正電圧、前記透明な絶縁基板に負電圧を印加し
て半導体ウエハと絶縁基板とを強固に貼り合わせるのが好ましい。
【００１９】
また、前記熱処理工程において、前記半導体ウエハの温度が４００℃を超えない温度で
熱処理することで、半導体ウエハと絶縁基板の界面の存在するＯＨ基が一部除去され、半
導体ウエハと絶縁基板との接合を強化することができる。
【００２０】
前記剥離工程において、前記半導体ウエハと絶縁基板を６００℃以下の温度で熱処理し
て行うことで、注入されたイオンが拡散、凝集そして膨張することで半導体薄膜層が絶縁
基板上に形成させる。
【００２１】
前記剥離工程において、ウォータージェットを前記半導体ウエハの表面の多孔質構造に
吹き付けることで、半導体薄膜層が絶縁基板上に形成させる。
【００２２】
前記レーザ光、前記レーザ光の光エネルギーが前記半導体ウエハおよび薄膜に十分に吸
収されるように、予め前記レーザ光の波長を選択するのがよい。
【００２３】
前記半導体ウエハは、Ｓｉウエハ、ＧａＮウエハ、ＧａＡｓウエハ、ＳｉＣウエハ、Ｉ
ｎＰウエハ、ＧａＰのいずれかの半導体ウエハであるのがよい。
【００２４】
前記透明な絶縁基板は、前記半導体ウエハと熱膨張係数が同じまたは同程度の絶縁基板
であるのがよい。
【００２５】
前記透明な絶縁基板は、表面に親水性の酸化膜が形成されている、ことが好ましい。
前記レーザ光がパルスレーザの場合、前記半導体ウエハの融点を超える温度で加熱し、
前記半導体薄膜を結晶化させる、ことが好ましい。
【００２６】
前記半導体ウエハの融点での蒸気圧が大気圧を超え、前記レーザ光を照射して溶融させ
て結晶化させる場合において、前記蒸気圧を超える圧力の不活性ガス雰囲気にて行うこと
により、半導体薄膜層の分解を抑制しかつ半導体薄膜層の結晶品質を改善するとともに、
半導体薄膜層と前記透明な絶縁基板を強固に結合させることができる。
【００２７】
前記レーザ照射工程は、前記半導体薄膜層が転写された絶縁基板を６００℃以下の温度
に加熱することで、半導体薄膜層の吸収係数が上昇するため、レーザ光の出力を下げるこ
とができる。
【００２８】
融点における蒸気圧が大気圧を超える前記半導体ウエハにおいて、前記レーザ光照射前
に前記レーザ光を透過する薄膜を形成することが好ましい。
【発明の効果】
【００２９】
上述した本発明の方法によれば、半導体ウエハと絶縁基板の熱膨張係数が同等かそれに
近い特性のものであるため、貼り合せ工程後の熱処理により、半導体ウエハが割れること
なく、半導体薄膜層を形成することができる。
また、レーザ光は薄膜層のみを吸収し、絶縁基板を透過するため、絶縁基板の直接加熱
に寄与するものではなく、また、薄膜層と絶縁基板を強固に結合するまでの加熱時間を極
めて短くできるため、絶縁基板の構成材料が例えば石英等の高い融点を有する高価なもの
に限られず、融点の低い安価なものも絶縁基板として用いることができるとともに、半導
体基板の製造コストの低下を図ることができる。
【００３０】
従って本発明は、ＳＯＩ層とガラス基板を強固に結合するために、８００℃を超える高
温での熱処理を必要とせず、ガラス基板の構成材料として融点の低いものを用いることが
でき、これにより、半導体基板の製造コストを下げることができ、かつ微小気泡層をへき
開面としてＳｉウエハを薄膜状に剥離する前の、仮接合工程とエッチング工程が不要であ
り、これにより半導体基板の製造工程を減らし、半導体基板の製造作業を簡略化して、作
業時間を短縮化できる、等の優れた効果を有する。
【発明を実施するための最良の形態】
【００３１】
以下、本発明の好ましい実施形態を図面を参照して説明する。なお、各図において共通
する部分には同一の符号を付し、重複した説明を省略する。
【００３２】
以下、本発明の実施形態について、図面を参照して説明する。
図１は、本発明による半導体基板の製造方法のフロー図である。
図１に示すように、本発明の半導体基板の製造方法は、半導体ウエハ１と透明な絶縁基
板２を用いて、絶縁基板２上に半導体ウエハの半導体薄膜層３を有する半導体基板４を製
造する方法である。
この例において、半導体ウエハ１はＳｉウエハであり、透明な絶縁基板２はガラス基板
である。また以下、半導体ウエハの半導体薄膜層３をＳＯＩ薄膜層、半導体基板４をＳＯ
Ｉ薄膜層ウエハと呼ぶ。
図１に示すように、本発明の半導体基板の製造方法は、薄膜形成工程Ｓ１、貼合わせ工
程Ｓ２、熱処理工程Ｓ３、剥離工程Ｓ４、及びレーザ光照射工程Ｓ５を備えている。
【００３３】
薄膜形成工程Ｓ１では、半導体ウエハ１にイオンを注入して半導体薄膜層を形成する。
すなわち、この例において、Ｓｉウエハ１に表面１ａから水素イオン５（或いは水素分子
イオン、希ガスイオンまたはこれらの複合イオン）を注入することにより、Ｓｉウエハ１
の内部に表面１ａに対して平行な微小気泡層６を形成する。ここで、イオン注入の加速電
圧を制御することにより、Ｓｉウエハ表面１ａから所定の深さ位置に微小気泡層６（剥離
層）を形成することができる。
【００３４】
貼合わせ工程Ｓ２では、薄膜形成工程Ｓ１の後に、半導体ウエハ１と絶縁基板２の表面
を洗浄し、基板の一面を貼り合わせる。すなわち、上述した薄膜形成工程が終了した後に
、Ｓｉウエハ１とガラス基板２を洗浄する。洗浄後、Ｓｉウエハの表面１ａとガラス基板
２の一面２ａを貼り合わせる。
【００３５】
熱処理工程Ｓ３では、貼合わせ工程Ｓ２の後に、熱処理により貼合わせ面の接合強度を
高める。すなわち、この例において、貼合わせ工程Ｓ２が終了した後に、３００℃以上、
４００℃以下（例えば３００℃、１時間）の温度条件で貼り合わせ処理したＳｉウエハ１
とガラス基板２に熱処理を行う。Ｓｉウエハ１とガラス基板２の熱膨張係数は、同等がそ
れに近い特性であるため、熱膨張差によりＳｉウエハ１が割れることはない。例えば、２
９３Ｋにおいて石英の熱膨張係数が約０．５×１０-６に対し、シリコンは約３．６５×
１０-６、パイレックス（登録商標）ガラスは約２．８×１０-６である。
【００３６】
剥離工程Ｓ４では、熱処理工程Ｓ３の後に、半導体薄膜層を絶縁基板上に剥離させる。
すなわち、この例において、低温熱処理工程Ｓ３が終了した後に、４００℃以上、６００
℃以下（例えば、５５０℃、１時間）の条件で貼り合わせ処理したＳｉウエハ１とガラス
基板２に熱処理を行う。これによって、微小気泡層６をへき開面としてＳｉウエハ１を薄
膜状に剥離する。
【００３７】
なお、上述した薄膜形成工程の代わりに、半導体ウエハの表面に多孔質構造を形成し、
その上に半導体ウエハと同種のエピタキシャル層を成長させ、さらに、エピタキシャル層
の表面に親水性の酸化膜を形成する工程としてもよい。
またこの場合、剥離工程を、ウォータージェットを半導体ウエハの表面の多孔質構造に
吹き付けて、半導体薄膜を得るのがよい。
【００３８】
レーザ光照射工程Ｓ５では、剥離工程Ｓ４の後に、絶縁基板に、レーザ光を半導体薄膜
層側または透明な絶縁基板側から照射して前記半導体薄膜層の結晶品質を改善するととも
に、前記半導体薄膜層と前記透明な絶縁基板を強固に結合させる。
すなわち、この例において、剥離工程Ｓ４が終了した後に、レーザ照射装置（図示省略
）によってレーザ光（例えば、ＹＡＧレーザの２倍波）７をＳＯＩ薄膜層３側またはガラ
ス基板２側から照射する。これによって、ＳＯＩ薄膜層３とガラス基板を強固に結合する
。なお、レーザ光７はＳＯＩ薄膜層全面に照射するように行う。
【００３９】
ここで、レーザ光７を外側からガラス基板２に向かって照射することによって、ＳＯＩ
薄膜層３およびガラス基板２の界面のみを局部的に加熱でき、また、ＳＯＩ薄膜層３とガ
ラス基板２を強固に結合するまでの加熱時間（レーザ光７の照射時間）を極めて短くでき
る。例えば、本発明の実施形態では、加熱時間は数百ナノ秒である。一方、レーザ光７を
外側から透明なガラス基板２に向かって照射しても、大部分のレーザ光７はガラス基板２
を透過して、ガラス基板２の直接加熱に寄与するものではない。
【実施例１】
【００４０】
以下にシリコン単結晶薄膜の実施例を説明する。
（１）試料準備
Ｓｉウエハは４インチ径、厚さ５２５μｍ、ｐ型、面方位（１００）、抵抗値０．５〜
４０Ωで１００ｎｍ厚の熱酸化膜付きのものを用いた。ガラスウエハは、ＨＯＹＡ製ＮＡ
３５の無アルカリガラスを用い、４インチ径、厚さ０．７ｍｍにものを作製し、５００ｎ
ｍのＳｉＯ２膜をスパッタ成膜した。
（２）薄膜形成処理
酸化膜付Ｓｉウエハに水素イオン（Ｈ＋）を加速電圧１００ｋＶ、注入量５Ｅ１６ｃｍ
-２、入射角度０°（ウエハ表面に対して直交方向）で注入した。
（３）貼り合わせ処理
Ｓｉウエハおよびガラスウエハに対してＳＣＩおよびＳＣ２レベルのＲＣＡ洗浄を実施
し、洗浄後、大気中、室温で貼り合わせた。
（４）Ｓｉ薄膜の剥離処理および剥離後熱処理
Ｓｉ薄膜の剥離は、Ｓｉウエハ同士を貼り合わせた試料に対して５５０℃、１時間の熱
処理で、Ｓｉウエハとガラスウエハを貼り合わせた試料に対しては５００℃、１時間の熱
処理で行った。
Ｓｉ薄膜の剥離後、窒素雰囲気で５５０℃、４時間の熱処理を実施し、レーザ照射用試
料とした。
（５）レーザ照射工程
ＹＬＦレーザ（最大出力２０Ｗ、波長５２７ｎｍ、繰り返し周波数１ｋＨｚ）を光源と
して用い、試料をステージに載せ、搬送しながら照射した。
照射条件は、レーザ出力：４〜１５Ｗ、ステージ搬送速度：３ｍｍ／秒、試料温度：室
温で実施した。
【００４１】
図２は、レーザ出力とラマンの半値幅との関係図である。比較のため、市販のＳＯＩウ
エハと比較した。その結果、レーザ出力１０Ｗ以上で処理されたガラス基板上の薄膜が４
．１６ｃｍ-１を示し、市販のＳＯＩウエハ３．９５ｃｍ-１に近いレベルまで結晶品質を
高めることができた。なお、現在、ガラス基板上に形成できる多結晶シリコンのラマンの
半値幅は、５．１〜６  ｃｍ-１程度である。
【００４２】
図３は、レーザ出力と薄膜表面の最高到達温度との関係図であり、熱解析により求めた
ものである。その結果、薄膜のラマンの半値幅が４．１６ｃｍ-１になるレーザ出力では
、シリコンの融点以上であり、シリコンがレーザにより溶融、再結晶化していることが判
明した。
本試験のように、パルスレーザを用い、半導体ウエハの融点を超える温度で加熱し、半
導体薄膜を結晶化させることにより、半導体ウエハを溶融し、再結晶化することで、結晶
品質を高めることができる。
【００４３】
図４は、剥離工程Ｓ４により、無アルカリガラス基板上へ剥離させたＳｉ薄膜のラマン
分光の測定結果を示す。この図において、横軸は波数、縦軸はラマン強度（相対強度）で
ある。また、図中の実線は本発明の方法による半導体基板、破線は比較のための、単結晶
シリコンウエハの結果である。
この図から、本発明の方法による半導体基板（無アルカリガラス基板上のＳｉ薄膜）の
ラマン半値幅は、４．９ｃｍ−１、単結晶シリコンウエハのラマン半値幅は、４．６ｃｍ
−１であり、無アルカリガラス基板上のＳｉ薄膜の結晶品質がほぼ単結晶シリコンウエハ
の品質を保持していることがわかった。
【００４４】
図５は、レーザ光の波長とガラスにおけるレーザ光の透過率との関係を示す図であり、
図６は、レーザ光の波長とシリコンにおけるレーザ光の吸収係数との関係を示す図である
。
レーザ光７がガラス基板２を十分に透過し、かつレーザ光７の光エネルギーがＳｉウエ
ハ１に十分に吸収されるように、予めレーザ光７の波長を選択することが望ましい。すな
わち、図５に示すようにレーザ光７の波長が３８０ｎｍ以上で２２００ｎｍ以下の場合に
は、ガラスにおけるレーザ光７の透過率が９０％になって、レーザ光７がガラス基板２を
十分に透過することが判明している。
また、Ｓｉのバンドギャップを光の波長に変換すると、１１００ｎｍ程度であることも
あって、図６に示すようにレーザ光７の波長が７８０ｎｍ以下の場合であっても、レーザ
光７の光ＳｉウエハがＳｉウエハ１に十分吸収される。従って、３８０ｎｍ以上で２２０
０ｎｍ以下のレーザ光７の波長を予め選択することよって、レーザ光７がガラス基板２を
十分に透過しかつレーザ光７の光ＳｉウエハがＳｉウエハ１に十分に吸収されることを確
保できる。
【００４５】
また、前記絶縁基板と半導体ウエハの熱膨張係数は同等かそれに近い特性のものである
ことが望ましい。また、レーザ光７の発振は、パルスまたは連続発振のいずれでも差し支
えない。また、レーザ光は、ＳＯＩ薄膜側からでもガラス基板側からでも照射しても差し
支えない。
なお、レーザ照射工程が終了した後に、薄膜層３の表面３ａを鏡面研磨することが望ま
しい。
【００４６】
図７は、ＩｎＰの温度と蒸気圧力の関係図である。この図において、横軸は１０００／
Ｔ（Ｔは温度Ｋ）、縦軸は蒸気圧力（ａｔｍ）であり、図中の２本の曲線は、異なる分子
構造を示している。
ＩｎＰの融点は１３３３Ｋであり、この図の横軸０．７５に相当し、蒸気圧力は、おお
よそ２〜１０ａｔｍとなる。
このような場合、本発明では、半導体ウエハの融点での蒸気圧が大気圧を超え、前記レ
ーザ光を照射して溶融させて結晶化させる場合において、前記蒸気圧を超える圧力の不活
性ガス雰囲気にて行うことにより、半導体薄膜層の分解を抑制しかつ半導体薄膜層の結晶
品質を改善するとともに、半導体薄膜層と前記透明な絶縁基板を強固に結合させることが
できる。
【００４７】
図８は、単結晶シリコンの温度と吸収係数の関係図である。この図において、常温（３
００Ｋ）に対して６００Ｋにおける吸収係数は約２倍となる。
本発明では、前記レーザ照射工程は、前記半導体薄膜層が転写された絶縁基板を６００
℃以下の温度に加熱することで、半導体薄膜層の吸収係数が上昇するため、レーザ光の出
力を下げることができる。
【００４８】
以上のごとき、本発明の実施の形態によれば、レーザ光７は、ＳＯＩ薄膜層３に吸収す
る以外は、透明なガラス基板２を透過するため、ガラス基板２の直接加熱に関与するもの
ではなく、また、ＳＯＩ薄膜層３とガラス基板２を強固に結合するまでの加熱時間を極め
て短くできるため、ＳＯＩ薄膜層３を接合する基板は、例えば石英等の高い融点を有する
高価なものに限られず、融点の低い安価なものも用いることができる。そのため、さまざ
まな構成材料からなるガラス基板２をＳＯＩ薄膜層ウエハ４の製造コストの低下を図るこ
とができる。
【００４９】
また、本発明は、前述の発明の実施形態の説明に限るものではなく、例えば、半導体ウ
エハとして、Ｓｉウエハ、ＧａＮウエハ、ＧａＡｓウエハ、ＳｉＣウエハ、ＩｎＰウエハ
、ＧａＰなどの半導体ウエハのいずれかを用いたり、透明なガラス基板２の代わりに透明
なプラスチック基板を用いる等、適宜の変更を行うことにより、その他さまざまな形態で
実施可能である。
【００５０】
なお、本発明は上述した実施例及び実施形態に限定されず、本発明の要旨を逸脱しない
範囲で種々変更できることは勿論である。
【図面の簡単な説明】
【００５１】
【図１】本発明による半導体基板の製造方法のフロー図である。
【図２】レーザ出力とラマンの半値幅との関係図である。
【図３】レーザ出力と薄膜表面の最高到達温度との関係図である。
【図４】本発明の方法により無アルカリガラス基板上へ剥離させたＳｉ薄膜のラマン分光の測定結果を示す図である。
【図５】レーザ光の波長とガラスにおけるレーザ光の透過率との関係を示す図である。
【図６】レーザ光の波長とシリコンにおけるレーザ光の吸収係数との関係を示す図である。
【図７】ＩｎＰの温度と蒸気圧力の関係図である。
【図８】単結晶シリコンの温度と吸収係数の関係図である。
【図９】非特許文献１の製造方法を示す模式図である。
【図１０】特許文献１の製造方法を示すフロー図である。
【図１１】特許文献２の製造方法を示すフロー図である。
【符号の説明】
【００５２】
１  半導体ウエハ（Ｓｉウエハ）、１ａ  表面、
２  透明な絶縁基板（ガラス基板）、２ａ  一面、
３  半導体薄膜層（ＳＯＩ薄膜層）、４    半導体基板（ＳＯＩ薄膜層ウエハ）、
５  水素イオン（或いは水素分子イオン、希ガスイオンまたはこれらの複合イオン）、
６  微小気泡層（剥離層）、７  レーザ光（ＹＡＧレーザの２倍波）
【図１】
0005358159.tif 000002
【図２】
0005358159.tif 000003
【図３】
0005358159.tif 000004
【図４】
0005358159.tif 000005
【図５】
0005358159.tif 000006
【図６】
0005358159.tif 000007
【図７】
0005358159.tif 000008
【図８】
0005358159.tif 000009
【図９】
0005358159.tif 000010
【図１０】
0005358159.tif 000011
【図１１】
0005358159.tif 000012